(57)【要約】【課題】回路基板に接続されたフレキシブルプリント配線板の信号ラインから放射される電磁波を抑制して、表示装置の周辺機器に悪影響を及ぼすことのない表示装置を提供する。【解決手段】液晶表示器（表示器）と、この液晶表示器を制御する電子部品が実装された第１の回路基板（回路基板）と、この第１の回路基板に接続され、一方の面に少なくとも信号ラインＳ２が形成されたフレキシブルプリント配線板１１と、このフレキシブルプリント配線板１１に沿うように信号ラインＳ２側に配置されたシールド部材７とを備え、シールド部材７は第１の回路基板のグランドと接続され、フレキシブルプリント配線板１１の他方の面にはグランドラインＳ３Ａが形成される。【選択図】図３
2008180917.tif 000002
【特許請求の範囲】
【請求項１】
表示器と、この表示器を制御する電子部品が実装された回路基板と、この回路基板に接続され、一方の面に少なくとも信号ラインが形成されたフレキシブルプリント配線板と、このフレキシブルプリント配線板に沿うように前記信号ライン側に配置されたシールド部材とを備え、前記シールド部材は前記回路基板のグランドと接続され、前記フレキシブルプリント配線板の他方の面にはグランドラインが形成されていることを特徴とする表示装置。
【請求項２】
前記グランドラインはベタ状に形成されていることを特徴とする請求項１に記載の表示装置。
【発明の詳細な説明】
【技術分野】
【０００１】
本発明は、回路基板に接続されたフレキシブルプリント配線板から放射される電磁波を抑制した表示装置に関するものである。
【背景技術】
【０００２】
例えば車両に搭載される表示装置として、液晶表示器を用いたヘッドアップディスプレイ装置が種々提案されている。ヘッドアップディスプレイ装置は、例えば液晶表示器から発せられた表示光を車両のフロントガラスに投影し、虚像を表示するものであり、例えば特許文献１がある。特許文献１に記載の表示装置２０（ヘッドアップディスプレイ装置）は、表示光Ｌが出射する窓部３５ａが形成された上側ケース体３５と下側ケース体３６からなるハウジング２６内に、表示器２１（液晶表示器）と、反射鏡２２と、表示器２１や反射鏡２２を支持する支持部材２４と、この支持部材２４の裏面側に固定された回路基板２５などが収納されたものである。
【０００３】
回路基板２５には、表示器２１を駆動させる駆動回路，表示器２１の表示を制御する表示制御回路，表示器２１を照明するＬＥＤの点灯を制御する点灯制御回路，マイコンなどの各ＩＣ（電子部品）や他の電子部品が実装されている。この回路基板２５と表示器２１との電気的な接続は、図示されていないが電源ライン，信号ライン，グランドラインが形成されたフレキシブルプリント配線板が用いられる。
【特許文献１】特開２００４−１７７０８号公報
【発明の開示】
【発明が解決しようとする課題】
【０００４】
この様な表示装置に於いて、マイコンなどが作動し、フレキシブルプリント配線板の信号ラインを伝わる信号の周波数が高いと信号ラインから電磁波が発生しやすい。そして、その電磁波が外部に放射されて、車両に搭載されたラジオやテレビなどに電波障害を与えてしまうということがある。
【０００５】
本発明はこの様な点に鑑みなされたもので、回路基板に接続されたフレキシブルプリント配線板の信号ラインから放射される電磁波を抑制して、表示装置の周辺機器に悪影響を及ぼすことのない表示装置を提供することを目的とする。
【課題を解決するための手段】
【０００６】
本発明は前記目的を達成するため、表示器と、この表示器を制御する電子部品が実装された回路基板と、この回路基板に接続され、一方の面に少なくとも信号ラインが形成されたフレキシブルプリント配線板と、このフレキシブルプリント配線板に沿うように前記信号ライン側に配置されたシールド部材とを備え、前記シールド部材は前記回路基板のグランドと接続され、前記フレキシブルプリント配線板の他方の面にはグランドラインが形成されているものである。
【０００７】
また、前記グランドラインはベタ状に形成されているものである。
【発明の効果】
【０００８】
回路基板に接続されたフレキシブルプリント配線板の信号ラインから放射される電磁波を抑制して、表示装置の周辺機器に悪影響を及ぼすことのない表示装置を得ることができる。
【発明を実施するための最良の形態】
【０００９】
図１は、本発明の実施形態を示す表示装置の正面図である。図２は、表示装置に用いられるフレキシブルプリント配線板の部分平面図であり、図３は、フレキシブルプリント配線板の部分断面図（図２に於けるＡ−Ａ断面）である。図４は、表示装置に用いられるシールド部材と回路基板との接続箇所を示す断面詳細図である。なお、本実施形態に於いては、回路基板を第１の回路基板と第２の回路基板とに分けたものとする。
【００１０】
表示装置は、表示器としての液晶表示器１と、第１の反射部材２と、第２の反射部材３と、ケース体４と、ケース体４の前面開口側を覆う上ケース５と、ケース体４の底部６裏面側に配置され背面側に開口を有するシールド部材７と、このシールド部材７とケース体４との間に配置され液晶表示器１を照明する光源ユニット８と、シールド部材７内に配置された第１の回路基板９と、ケース体４内に配置された第２の回路基板１０と、第１の回路基板９と第２の回路基板１０とを接続するフレキシブルプリント配線板１１と、第２の回路基板１０と液晶表示器１とを電気的に接続する配線部材１２と、シールド部材７の背面開口側を覆うカバー部材１３などを備えている。
【００１１】
上ケース５は、不透過性の合成樹脂からなる前面部１４と、アクリル樹脂などの透過性の合成樹脂からなる透視板１５とからなり、液晶表示器１から発せられた表示光Ｌがこの透視板１５を透して表示装置の外部に出射される。
【００１２】
ケース体４は、ポリプロピレンなどの合成樹脂からなり、液晶表示器１および第１，第２の反射部材２，３が収納される。ケース体４の底部６には、フレキシブルプリント配線板１１が挿通される貫通穴１６と、光源ユニット８の発光素子１７（例えばＬＥＤ）からの光が通る開口部１８が設けられている。
【００１３】
第１の反射部材２は、平面鏡１９と支持部材２０とからなる。支持部材２０は平面鏡１９を支持すると共にケース体４に固定されている。第２の反射部材３は、凹面鏡２１や凹面鏡２１を支持する支持部材２０Ａなどを備えている。凹面鏡２１は例えばポリカーボネート樹脂にアルミニウムなどの金属類を蒸着して反射面２２を形成したものである。反射面２２は凹面となっており、平面鏡１９にて反射された表示光Ｌ（表示画像）を車両運転者が視認できるようになっている。なお、図示しないが、第２の反射部材３にはモータが備えられており、モータの駆動により凹面鏡２１の傾き角度を調整できるようになっている。
【００１４】
液晶表示器１は、図示しないが、透明な電極部が形成された一対のガラス基板の間に液晶分子を封入し、各々のガラス基板に偏光膜を貼った液晶表示パネル２３と、この液晶表示パネル２３が保持されるセルケース２４などを備えており、ケース体４に固定されている。液晶表示パネル２３は発光素子１７によって照明され、液晶表示パネル２３の電極部に外部測定量に応じた信号（電圧）が印加されると、例えば車両の作動状態や各種警告メッセージなどがドットマトリクス表示される様になっている。
【００１５】
シールド部材７は、アルミニウムなどの金属材からなり、ケース体４の底部６に沿う平面部２５と、周壁２６と、平面部２５から一体に設けられ第１の回路基板９が取付固定される取付ボス２７を有している。また、平面部２５にはフレキシブルプリント配線板１１が挿通される貫通穴１６Ａが設けられている。シールド部材７の背面開口側は亜鉛メッキ鋼板あるいはステンレス鋼板などの金属材からなるカバー部材１３によって覆われている。
【００１６】
第１の回路基板９は、エポキシ樹脂系の硬質な両面基板（例えばガラスエポキシ基板）であり、図示は省略するが集積回路，抵抗，コンデンサー等の電子部品２８などが実装してある。また、フレキシブルプリント配線板１１と接続されるコネクタ２９が実装してある。この第１の回路基板９は、伝導性のビス３０を用いてシールド部材７の取付ボス２７にねじ止めされている。
【００１７】
図４に於いて、３１，３１Ａは第１の回路基板９の両面に設けられている銅箔からなるグランドであり、３２はビス３０が挿通される孔の周囲に設けられたハンダであり、３３はハンダ３２を除いた第１の回路基板９の両面に設けられたレジストである。第１の回路基板９の表面側に設けられたグランド３１と裏面側に設けられたグランド３１Ａとはスルーホールにより接続されている。この様に、第１の回路基板９を取付ボス２７にねじ止めすることにより、第１の回路基板９に形成されているグランド３１，３１Ａとシールド部材７とが電気的に接続されるようになる。
【００１８】
第２の回路基板１０もエポキシ樹脂系の硬質な両面基板であり、図示は省略するが集積回路，抵抗，コンデンサー等の電子部品２８が実装してある。また、フレキシブルプリント配線板１１と接続される第１コネクタ３４と、液晶表示器１と第２の回路基板１０とを接続する配線部材１２が接続される第２コネクタ３５が実装してある。
【００１９】
フレキシブルプリント配線板１１は、合成樹脂（例えばポリイミド樹脂）からなるベースフィルム３６の一方の面（シールド部材７側の面）に例えばエッチング法で第１の回路基板９および第２の回路基板１０に設けた電源回路や駆動回路などと接続される電源ラインＳ１，信号ラインＳ２，グランドラインＳ３などの銅箔からなる電極部を形成した後、第１の回路基板９に実装されたコネクタ２９および第２の回路基板１０に実装された第１コネクタ３４と接続される箇所の電極部を除いて絶縁保護となる保護フィルム３７を貼り合わせると共に、他方の面（第１の回路基板９側の面）にベタ状のグランドラインＳ３Ａを形成した後、絶縁保護となる保護フィルム３７を貼り合わせたものである。なお、ベースフィルム３６の両面に形成したグランドラインＳ３，Ｓ３Ａはスルーホールにより電気的に接続されている。
【００２０】
配線部材１２は、図示しないが、合成樹脂からなるベースフィルムの片面に液晶表示パネル２３に設けてある電極部および第２の回路基板１０に設けた電源回路や駆動回路などと接続される電源ライン，信号ライン，グランドラインなどの銅箔からなる電極部を形成した後、液晶表示パネル２３と接続される箇所の電極部および第２コネクタ３５と接続される箇所の電極部を除いて絶縁保護となる保護フィルムを貼り合わせたものである。
【００２１】
この様に構成された表示装置に於いて、第１の回路基板９に入力された例えば車速センサ等の信号は、マイコン等の電子部品２８に入力され、そこから出力された信号がフレキシブルプリント配線板１１から第２の回路基板１０，配線部材１２を経て液晶表示器１に入力され、液晶表示パネル２３に所定情報が表示されるようになる。
【００２２】
その際、フレキシブルプリント配線板１１の信号ラインＳ２を伝わる信号の周波数が高い場合であっても、フレキシブルプリント配線板１１の第１の回路基板９側の面にはグランドラインＳ３Ａが形成され、フレキシブルプリント配線板１１の信号ラインＳ２側にはグランド化されたシールド部材７がフレキシブルプリント配線板１１に沿うように配置してあるために、信号ラインＳ２から放射される電磁波は、グランドラインＳ３Ａとグランド化されたシールド部材７によるシールド効果により、表示装置の外部への放射が抑制される。
【００２３】
また、信号ラインＳ２がグランドラインＳ３Ａとグランド化されたシールド部材７とに挟まれることにより、信号ラインＳ２をグランドラインＳ３Ａおよびグランド化されたシールド部材７と容量結合させることができ、高周波成分がこのグランドラインＳ３Ａおよびグランド化されたシールド部材７へと流れ、電磁波の放射が抑制される。
【００２４】
従って、表示装置の周辺に配置されているラジオやテレビなどの機器に悪影響を及ぼすことのない表示装置が得られる。なお、シールド部材７はフレキシブルプリント配線板１１から放射される電磁波のシールドとしての役目を果たすと共に、光源ユニット８の発光素子１７から発せられる熱を表示装置の外部に逃がす放熱作用も有している。
【００２５】
また、フレキシブルプリント配線板１１の他方の面に形成したグランドラインＳ３Ａをベタ状とすることにより、シールド効果がより高まると共に、全ての信号ラインＳ２を効果的に容量結合させることができ、フレキシブルプリント配線板１１から表示装置の外部に放射されようとする電磁波がより抑制される。
【００２６】
なお、本実施形態に於いては、フレキシブルプリント配線板１１の他方の面（第１の回路基板９側の面）に形成したグランドラインＳ３Ａをベタ状としたが、信号ラインＳ２から放射される電磁波が抑制されて表示装置の周辺機器に悪影響が及ばないようであれば、グランドラインＳ３Ａは格子状あるいは多数の直線状であっても良い。また、配線部材１２の信号ラインからの電磁波の放射も考えられるが、配線部材１２（信号ライン）が短い等の理由で影響なかったが、悪影響を及ぼすようであれば同様な構造とすれば良い。
【００２７】
また、本実施形態では第１の回路基板９と第２の回路基板１０を用いたが、硬質の回路基板が１個の場合であって、その回路基板と表示器とをフレキシブルプリント配線板で接続するような表示装置であっても本発明を適用できる。
【図面の簡単な説明】
【００２８】
【図１】本発明の実施形態を示す表示装置の断面図。
【図２】同表示装置に用いられるフレキシブルプリント配線板の部分正面図。
【図３】同フレキシブルプリント配線板の部分断面図（図２に於けるＡ−Ａ断面）。
【図４】同表示装置に用いられるシールド部材と回路基板との接続箇所を示す断面詳細図。
【符号の説明】
【００２９】
１  液晶表示器（表示器）
７  シールド部材
９  第１の回路基板（回路基板）
１１  フレキシブルプリント配線板
２８  電子部品
Ｓ２  信号ライン
Ｓ３Ａ  グランドライン
３１，３１Ａ  グランド
【図１】
2008180917.tif 000003
【図２】
2008180917.tif 000004
【図３】
2008180917.tif 000005
【図４】
2008180917.tif 000006